(57)【要約】【課題】納期、コスト面で優位なＰＯＰ広告用のティッシュペーパーボックスを提供する。【解決手段】紙箱１１の底面１４と接着する基部ベロ片１５１と、この基部ベロ片１５１からミシン目１５ａを介して延設される扁平な略ホームベース形状の先端ベロ片１５２とからなる延長片１５を、多数枚のティッシュペーパーＡを収納する紙箱１１の前面１３を延長して形成し、ティッシュペーパーボックス１０を構成する。【選択図】図３
2010163175.tif 000002
【特許請求の範囲】
【請求項１】
多数枚のティッシュペーパーを収納し、上面に前記ティッシュペーパーの取出口を形成するための開封用切取ミシン目が設けられた直方体の紙箱で構成されるティッシュペーパーボックスであって、
前記紙箱には、前後いずれかの面を延長して形成され、前記紙箱の底面に一部が接着する延長片が備えられたことを特徴とするティッシュペーパーボックス。
【請求項２】
前記延長片は、前記紙箱の底面と接着する基部紙片部と、この基部紙片部から延設される扁平な略ホームベース形状、略四角形状または略半楕円形状の先端紙片部とからなることを特徴とする請求項１に記載のティッシュペーパーボックス。
【請求項３】
前記延長片は、少なくとも葉書大の大きさを有する基部紙片部と、この基部紙片部から連続して形成され、前記紙箱の底面と接着する先端紙片部とからなることを特徴とする請求項１に記載のティッシュペーパーボックス。
【発明の詳細な説明】
【技術分野】
【０００１】
本発明は、例えば、企業等が自社商品の宣伝や販売促進を目的に無料配布する記念品のノベルティ品に活用されているティッシュペーパーボックスに関し、納期、コスト面における優位性を得ることが可能なティッシュペーパーボックスに関する。
【背景技術】
【０００２】
従来から、栄養ドリンク瓶、ビール、チューハイ、ジュースなどの飲料が詰められたダース箱等に、ボックスティッシュ（ティッシュペーパーが箱詰めされたもの）を付けるなどし、企業等は自社商品の宣伝や販売促進を目的にした営業活動に取り組んでいる。これらのケースでは、ボックスティッシュの箱部分であるティッシュペーパーボックスの裏面（底面）に舌状の紙片（ベロ）を取り付け、小売店等においてダース箱を陳列する際、ダース箱の側面に形成された隙間にベロを差し込んで、そのままボックスティッシュをＰＯＰ広告にするという手法が採られている。
【０００３】
このようなティッシュペーパーボックスは現状、市販品のティッシュペーパーボックスの形状そのものに、別に用意したベロを両面テープで貼り付けるという作業により製造されている。この両面テープで貼り付ける作業は、そのほとんどが人間の手により行われており、このような２次加工が必要となるので、納期、コストの面に課題がある。そして、企業等の広告、販売促進等に係る経費の削減というニーズに必ずしも合致しないという問題が生じている。
【先行技術文献】
【特許文献】
【０００４】
【特許文献１】実公平２−９７５７号公報
【０００５】
一方、上記特許文献１にて提案されているように、ボックスティッシュの医療現場での汎用性に着目し、病院で使用されているような鉄製ベッドのパイプフレームに装着可能としたボックスティッシュ用の紙箱に係る考案が知られている。
【０００６】
この考案は、紙箱の上下面またはこれと直交する前後面のいずれか一つを延長して、鉄製ベッドのベッド側パイプフレームを構成する主骨パイプ部に捲回可能にした張り出し部を形成し、その張り出し部の先端両側には、係止用突片部分を設け、この張り出し部を形成しない前後面または上下面のいずれか一つに端部を曲げた切込み溝を形成し、張り出し部の先端部分を嵌挿係止可能としてなるティッシュペーパー用紙箱に係るものである。
【発明の概要】
【発明が解決しようとする課題】
【０００７】
しかし、ボックスティッシュをＰＯＰ広告に活用する際には、特許文献１にて提案された考案のように、紙箱の張り出し部を形成しない前後面または上下面のいずれか一つに端部を曲げた切込み溝を形成する必要はなく、また、切込み溝に張り出し部の先端部分を嵌挿係止可能として、ボックスティッシュが取り付けた物から外れないようにするような複雑な形状を紙箱に施す必要はない。そして、張り出し部は、消費者が商品を購入後、ダース箱等の商品からボックスティッシュを手軽に取り外すことができるような舌（ベロ）状のものとする必要がある。さらに、ボックスティッシュをＰＯＰ広告に活用するという企業等の広告、販売促進等に係る経費の削減ニーズに応えるという課題もある。
【０００８】
本発明は、上記実情に鑑みて提案されたもので、ＰＯＰ広告に活用するためのベロの付いたティッシュペーパーボックスをすべて機械にて自動形成することができるような構成とし、納期、コスト面における優位性を得ることが可能なティッシュペーパーボックスを提供することを目的とする。
【課題を解決するための手段】
【０００９】
上記目的を達成するために、本発明は、多数枚のティッシュペーパーを収納し、上面に前記ティッシュペーパーの取出口を形成するための開封用切取ミシン目が設けられた直方体の紙箱で構成されるティッシュペーパーボックスであって、前記紙箱には、前後いずれかの面を延長して形成され、前記紙箱の底面に一部が接着する延長片が備えられたことを特徴とする。
【００１０】
特に、上記延長片は、紙箱の底面と接着する基部紙片部と、この基部紙片部から延設される扁平な略ホームベース形状、略四角形状または略半楕円形状の先端紙片部とからなることが好ましい。
【００１１】
また、上記延長片は、少なくとも葉書大の大きさを有する基部紙片部と、この基部紙片部から連続して形成され、紙箱の底面と接着する先端紙片部とからなることも好ましい。
【発明の効果】
【００１２】
本発明では、紙箱の前後いずれかの面を延長して形成され、紙箱の底面に一部が接着する延長片を備えてティッシュペーパーボックスを構成したので、構造が簡単で、消費者が商品を購入後、ダース箱等の商品からボックスティッシュを手軽に取り外すことができる延長片、例えば舌（ベロ）状片を備えたティッシュペーパーボックスを提供することができる。特に、簡単な構造であるので、ティッシュペーパーボックスをすべて機械にて自動形成することができ、納期、コスト面での企業等の経費の削減というニーズに応えることも可能となる。なお、延長片の一部が紙箱の底面に接着しているので、この接着箇所により、ティッシュペーパーボックスが箱の用をなすこともできる。
【００１３】
さらに、上記延長片を、紙箱の底面と接着する基部紙片部と、この基部紙片部から延設される扁平な略ホームベース形状、略四角形状または略半楕円形状の先端紙片部とから構成すれば、上記効果を有しつつ、商品、特にダース箱に差し込むのに最適な延長片（先端紙片部、例えば、舌（ベロ）状片を形成することができる。
【００１４】
また、上記延長片は、少なくとも葉書大の大きさを有する基部紙片部と、この基部紙片部から連続して形成され、紙箱の底面と接着する先端紙片部とから構成すれば、上記効果を有しつつ、少なくとも葉書大の大きさを有する基部紙片部に、例えば、懸賞応募葉書用紙などの機能を加えることが可能となって、企業等の広告、販売促進にさらに貢献することができるティッシュペーパーボックスを提供することができる。
【図面の簡単な説明】
【００１５】
【図１】本発明に係るティッシュペーパーボックス（ベロ付ボックスティッシュ）の斜視図である。
【図２】（ａ）実施例１に係るティッシュペーパーボックス（ベロ付ボックスティッシュ）の底面側から見た斜視図であり、（ｂ）は、（ａ）において先端ベロ片を切り取った状態を現した斜視図である。
【図３】実施例１に係るティッシュペーパーボックス（ベロ付ボックスティッシュ）における紙箱の展開図である。
【図４】（ａ）は、実施例１に係るティッシュペーパーボックス（ベロ付ボックスティッシュ）の使用形態の一例を説明する説明図であり、（ｂ）は、（ａ）の要部断面を説明する概略断面説明図である。
【図５】実施例２に係るティッシュペーパーボックス（ベロ付ボックスティッシュ）の底面側から見た斜視図である。
【図６】実施例２に係るティッシュペーパーボックス（ベロ付ボックスティッシュ）における紙箱の展開図である。
【図７】実施例３に係るティッシュペーパーボックス（ベロ付ボックスティッシュ）の底面側から見た斜視図である。
【図８】実施例３に係るティッシュペーパーボックス（ベロ付ボックスティッシュ）における紙箱の展開図である。
【発明を実施するための形態】
【００１６】
以下、本発明について、いくつかの実施例を図面とともに説明する。
【００１７】
（実施例１）
本発明に係るティッシュペーパーボックスは、図１に示すように、多数枚のティッシュペーパーを収納し、上面１２にティッシュペーパーの取出口を形成するための開封用切取ミシン目１２１が設けられた紙箱１１で構成されている。このように斜視した場合の形態は、従来の市販品のティッシュペーパーボックスと同様で、何ら変わらない形状をしている。なお、紙箱１１内の形態も、従来の市販品のティッシュペーパーが詰められたティッシュペーパーボックスと同様である。
ただし、紙箱１１には、図２（ａ）に示すように、前後いずれかの面、例えば、前面１３を延長して形成され、紙箱１１の底面１４に一部が接着する延長片、例えば、舌状の延長片（ベロ片）１５が備えられていて、このベロ片１５が、ダース箱の側面に形成された隙間に差し込む際等に使用される。
以下、理解を促して説明するため、ティッシュペーパーボックスをベロ付ボックスティッシュ１０と呼んで説明する。
【００１８】
図２（ａ）に示すように、実施例１に係るベロ付ボックスティッシュ１０は、前面１３を延長して形成されたベロ片１５が、紙箱１１の底面１４と接着する基部紙片部としての基部ベロ片１５１と、この基部ベロ片１５１からミシン目１５ａ（一点鎖線により図示している。）を介して延設され、先端に向かって縮閉する扁平な略ホームベース形状の先端紙片部としての先端ベロ片１５２とから構成されている。
【００１９】
基部ベロ片１５１は、紙箱１１の底面１４における前面１３近傍側の一側１４ａにて底面１４と糊付けにより接着させられる糊付領域１５１ａと、その他の領域１５１ｂとからなる。糊付領域１５１ａは、底面１４の長手の長さと等しい長手の長さを有する長方形の領域である。その他の領域１５１ｂは、底面１４の長手と等しい長手の長さを有する辺と、先端ベロ片１５２との境界の底面１４の長手と比べて長さが短い辺とで構成される台形の領域である。なお、基部ベロ片１５１の糊付領域１５１ａにおける底面１４との糊付けにより、紙箱１１は直方体の箱状に維持されている。
【００２０】
先端ベロ片１５２は、扁平な略ホームベース形状で、ダース箱等商品に設けられた隙間に挿入可能とするため、紙箱１１の底面１４とは接着されていない。
この先端ベロ片１５２と基部ベロ片１５１とは、ミシン目１５ａを介して連続していて、このミシン目１５ａに沿えば、図２（ｂ）に示すように、先端ベロ片１５２を人の手で紙箱１１から切り離すことが可能となる。また、延長片（ベロ片）１５は、基部ベロ片１５１の先端辺（底面１４の長手と比べて長さが短い辺）よりも、先端ベロ片１５２の基部ベロ片１５１との境界の辺（ミシン目１５ａの長さ）が短い形状を有しているため、先端ベロ片１５２を人の手で紙箱１１から切り離すことが簡単にできる。
【００２１】
図３に基づいて、本実施例１に係るベロ付ボックスティッシュ１０の組立方法の概略について説明すると、まず、ベロ付ボックスティッシュ１０の組立前において、所定の長さ、幅を有する厚紙からくり抜き、左から底面１４、後面１６、上面１２、前面１３、延長片１５としての基部ベロ片１５１及び先端ベロ片１５２の順に連続した所定の形状の一枚の展開紙片１００とする。その際、底面１４、後面１６、上面１２、前面１３にはそれぞれ、組立時に側面１７、１８となる側部片１７ａ〜１７ｄ、１８ａ〜１８ｄを形成する。
図３において斜線で示される領域は、基部ベロ片１５１や側部片１７ａ〜１７ｄ、１８ａ〜１８ｄの糊付けされる部分を示すものである。二点鎖線で示されるのは、ベロ付ボックスティッシュ１０を組み立てる際に折り目となる部分である。一点鎖線で示されるのは、ミシン目１２１、１５ａである。
【００２２】
そして、図３の所定の形状の一枚の展開紙片１００を、二点鎖線に沿って折り曲げるとともに、基部ベロ片１５１の糊付領域１５１ａや側部片１７ａ〜１７ｄ、１８ａ〜１８ｄの糊付けされる部分を糊付けすれば、図１および図２（ａ）に示すような本実施例１に係るベロ付ボックスティッシュ１０となる。
ベロ付ボックシュティッシュ１０の代表的な寸法は、上面１２、底面１４、前面１３、後面１６の長手が２４５ｍｍ、上面１２、底面１４の幅が１１４〜１１５ｍｍ、前面１３、後面１６の幅が５０〜５１ｍｍである。また、ベロ片１５の基部ベロ片１５１の幅が５７ｍｍ、先端ベロ片の幅が５５ｍｍである。基部ベロ片１５１のその他の領域１５１ｂの台形の傾斜の角度、先端ベロ片の扁平なホームベース形状の大きさは、厚紙の材質、使用状況等を鑑み、強度を考慮して適宜決定すればよいが、形状については望まれる強度を有するために、扁平なホームベース形状であることが好ましい。
なお、本実施例１ベロ付ボックスティッシュ１０は、基部ベロ片１５１の糊付領域１５１ａが、紙箱１１の底面１４における前面１３近傍側の一側１４ａにて底面１４と糊付けにより接着させられ、直方体の紙箱１１の用をなすものとなるので、必ずしも必要ではないが、底面１４の端部（図３において左端部）に追加的に糊しろ片を備えさせ、組立時に前面１３に糊付けすると、ベロ付ボックスティッシュ１０は直方体の紙箱１１の用をなすことが補強されるため好ましい。
【００２３】
次に、図４（ａ）および図４（ｂ）に基づいて、本実施例１に係るベロ付ボックスティッシュ１０の使用形態の一例について説明する。
【００２４】
本実施例１に係るベロ付ボックスティッシュ１０は、図４（ａ）に示すように、例えば、ダース箱Ｄの側面Ｄ１に形成された隙間Ｄ２に、扁平な略ホームベース形状の先端ベロ片１５２を差し込むことにより使用される。特に、先端ベロ片１５２は、紙箱１１の底面１４とは接着されていないため、ダース箱Ｄの側面Ｄ１に形成された隙間Ｄ２に容易に挿入可能となる。なお、先端ベロ片１５２の形状は、扁平な略ホームベース形状であるので、ダース箱Ｄの側面Ｄ１に形成された隙間Ｄ２に挿入することに手間取ることもない。
そして、図４（ｂ）に示すように、先端ベロ片１５２は、適度な強度を有した扁平な略ホームベース形状であるので、ダース箱Ｄの側面Ｄ１に形成された隙間Ｄ２に挿入されると、外部からの衝撃を受けても、破れたり、その隙間Ｄ２から簡単に外れたりすることがなくなる。
【００２５】
したがって、本実施例１に係るベロ付ボックスティッシュ１０は、紙箱１１の前面１３を延長して形成され、紙箱１１の底面１４に一部が接着する舌状の延長片（ベロ片）１５を備え、このベロ片１５を、紙箱１１の底面１４と接着する基部ベロ片１５１と、この基部ベロ片１５１からミシン目１５ａを介して延設され、先端に向かって縮閉する扁平な略ホームベース形状の先端ベロ片１５２とから構成したので、簡単な構造であるため、ティッシュペーパーボックスをすべて機械にて自動形成することができ、企業等の経費の削減というニーズに応えることが可能となる。また、基部ベロ片１５１が、糊付領域１５１ａにおいて底面１４と糊付けされているので、紙箱１１を直方体に維持することができる。扁平な略ホームベース形状の先端ベロ片１５２が、紙箱１１の底面１４とは接着されていないので、適度な強度を有しつつ商品、特にダース箱に差し込むことも簡単にできる。さらに、延長片（ベロ片）１５が、基部ベロ片１５１の先端辺よりもミシン目１５ａを短くした形状であるので、先端ベロ片１５２を人の手で紙箱１１から切り離すことが簡単にできる。
【００２６】
なお、上記実施例１においては、先端ベロ片１５２の形状を、上記効果を有するものとする限り、扁平な略ホームベース形状とすることに限られず、例えば、略四角形状または略半楕円形状のものであっても好ましい実施形態となる。
【００２７】
（実施例２）
実施例２に係るベロ付ボックスティッシュ１０は、図５に示すように、延長片（ベロ片）１５が、葉書大の大きさを有する基部紙片部としての葉書様部１５３と、この葉書様部１５３からミシン目１５ａ（一点鎖線により図示している。）を介して延設され、紙箱１１の底面１４と接着する先端紙片部としての先端接着部１５４とから構成される点が、実施例１と異なる点である。
【００２８】
葉書様部１５３は、紙箱１１の底面１４における前面１３近傍側の一側１４ａに、前面１３と葉書様部１５３との境界となるミシン目１５３ａ（一点鎖線により図示している。）が設けられていて、後に、懸賞応募葉書用紙等に活用する領域となるため、紙箱１１の底面１４とは接着されていない。また、先端接着部１５４とミシン目１５ａを介して連続している。
【００２９】
先端接着部１５４は、この葉書様部１５３からミシン目１５ａ（一点鎖線により図示している。）を介して延設される長方形状のもので、紙箱１１の底面１４と糊付けにより接着させられている。この底面１４との糊付けにより、先端接着部１５４は、延長片（ベロ片）１５が紙箱１１の底面１４から外れないようにしている。
【００３０】
図６に基づいて、本実施例２に係るベロ付ボックスティッシュ１０の組立方法の概略について説明すると、まず、実施例１と同様に、ベロ付ボックスティッシュ１０の組立前において、所定の長さ、幅を有する厚紙からくり抜き、左から底面１４、後面１６、上面１２、前面１３、延長片１５としての葉書様部１５３及び先端接着部１５４の順に連続した所定の形状の一枚の展開紙片１００とする。その際、底面１４、後面１６、上面１２、前面１３にはそれぞれ、組立時に側面１７、１８となる側部片１７ａ〜１７ｄ、１８ａ〜１８ｄを形成する。ただし、底面１４の端部（図６において左端部）には、糊しろ片１４１を備えさる点において実施例１と異なる。
図６おいて斜線で示される領域は、先端接着部１５４や側部片１７ａ〜１７ｄ、１８ａ〜１８ｄの糊付けされる部分を示すものである。二点鎖線で示されるのは、ベロ付ボックスティッシュ１０を組み立てる際に折り目となる部分である。一点鎖線で示されるのは、ミシン目１２１、１５ａ、１５３ａである。
【００３１】
そして、図６の所定の形状の一枚の展開紙片２００を、二点鎖線に沿って折り曲げるとともに、先端接着部１５４の糊付領域１５４ａや側部片１７ａ〜１７ｄ、１８ａ〜１８ｄの糊付けされる部分に糊付けするとともに、底面１４の端部の糊しろ片１４１を前面１３に糊付けして、図１のような直方体のベロ付ボックスティッシュ１０を組み立てる。本実施例２に係るベロ付ボックスティッシュ１０は、底面１４の端部の糊しろ片１４１を前面１３に糊付けすることにより、本実施例２に係るベロ付ボックスティッシュ１０を、直方体の紙箱１１の用をなすものとしている。
ベロ付ボックシュティッシュ１０の代表的な寸法は、上面１２、底面１４、前面１３、後面１６の長手が２４５ｍｍ、上面１２、底面１４の幅が１２０ｍｍ、前面１３、後面１６の幅が６５ｍｍである。また、葉書様部１５３は、官製葉書大（長手１４８ｍｍ×幅１００ｍｍ）の寸法であって、先端接着部１５４の幅は１９ｍｍである。また、実施例１の代表的な寸法と同様であってもよく、この場合、先端接着部１５４の幅を１５ｍｍ以下とすればよい。
【００３２】
本実施例２に係るベロ付ボックスティッシュ１０を使用形態の一例は、企業等の広告、販売促進（ＰＯＰ広告）に用いられた後、ダース箱等の商品の購入者が、葉書様部１５３と紙箱１１の底面１４における前面１３近傍側の一側１４ａとの境界にあるミシン目１５３ａ（一点鎖線により図示している。）および、葉書様部１５３と先端接着部１５４との境界にあるミシン目１５ａに沿って、葉書様部１５３を切り取ることにより、この葉書様部１５３を懸賞応募葉書用紙等として活用するものである。また、葉書様部１５３を切り取った後のベロ付ボックスティッシュ１０の底面１４は、底面１４に接着させられた先端接着部１５４のみが残ることとなり、ボックスティッシュとして市販のものと何ら変わらず使用することができる。
【００３３】
したがって、本実施例２に係るベロ付ボックスティッシュ１０は、葉書大の大きさを有する基部葉書様部１５３を備えるので、例えば、懸賞応募葉書用紙などの機能を加えることが可能となって、企業等の広告、販売促進にさらに貢献することができるティッシュペーパーボックスを提供することができる。
【００３４】
（実施例３）
実施例３に係るベロ付ボックスティッシュ１０は、図７に示すように、延長片（ベロ片）１５が、少なくとも葉書大の大きさを有する基部紙片部としての第２葉書様部１５５と、この第２葉書様部１５５とミシン目１５ａ（一点鎖線により図示している。）を介して延設され、紙箱１１の底面１４と接着する第２先端接着部１５６１と、この第２先端接着部１５６１と合わせて、第２葉書様部１５５を包囲する周辺紙片部１５６とから構成される点が、実施例１や実施例２と異なる点である。
【００３５】
具体的には、第２葉書様部１５５は、第２先端接着部１５６１とミシン目１５ａを介して連続しつつ、周辺紙片部１５６ともミシン目１５ｂを介して連続している（ミシン目１５ａ、１５ｂ共に一点鎖線により図示している。）。また、懸賞応募葉書用紙等に活用する領域となるため、紙箱１１の底面１４とは接着されていない。
第２先端接着部１５６１は、長方形の領域であり、第２葉書様部１５５からミシン目１５ａ（一点鎖線により図示している。）を介して延設され、紙箱１１の底面１４と糊付けにより接着させられている。周辺紙片部１５６は、第２葉書様部１５５からミシン目１５ｂを介して延設され、紙箱１１の底面１４の周縁に位置し、第２葉書様部１５５を包囲している。なお、製造上、周辺紙片部１５６と第２先端接着部１５６１とは区別されるものではなく、周辺紙片部１５６のうち、紙箱１１の底面１４と接着させられる領域が、第２先端接着部１５６１となるものである。
なお、図７および図８において、紙箱１１の底面１４における前面１３近傍側の一側１４ａには、前面１３と周辺紙片部１５６との境界となるミシン目１５６ａ（一点鎖線により図示している。）が設けられているが、これは第２葉書様部１５５が懸賞応募葉書用紙等に活用された後、周辺紙片部１５６および第２先端接着部１５６１を紙箱１１から取り外すためのものである。
【００３６】
すなわち、本実施例３における延長片（ベロ片）１５は、第２葉書様部１５５が、周辺紙片部１５６と第２先端接着部１５６１とによりミシン目１５ａ、１５ｂを介して包囲された態様で現されるものあり、本実施例３に係るベロ付ボックスティッシュ１０は、第２先端接着部１５６１の領域において底面１４と糊付けされることにより、延長片（ベロ片）１５が紙箱１１の底面１４から外れないようにしている。
【００３７】
図８に基づいて、本実施例３に係るベロ付ボックスティッシュ１０の組立方法の概略について説明すると、まず、ベロ付ボックスティッシュ１０の組立前において、所定の長さ、幅を有する厚紙からくり抜き、左から底面１４、後面１６、上面１２、前面１３、延長片１５としての周辺紙片部１５６（第２先端接着部１５６１を除く）及び、この周辺紙片部１５６に包囲された第２葉書様部１５５、第２先端接着部１５６１の順に連続した所定の形状の一枚の展開紙片３００とする。また、底面１４、後面１６、上面１２、前面１３にはそれぞれ、組立時に側面１７、１８となる側部片１７ａ〜１７ｄ、１８ａ〜１８ｄを形成する。そして、本実施例３においても、実施例２と同様に、底面１４の端部（図８において左端部）には、糊しろ片１４１を備えさせる。
図８おいて斜線で示される領域は、第２先端接着部１５６１や側部片１７ａ〜１７ｄ、１８ａ〜１８ｄの糊付けされる部分を示すものである。二点鎖線で示されるのは、ベロ付ボックスティッシュ１０を組み立てる際に折り目となる部分である。一点鎖線で示されるのは、ミシン目１２１、１５ａ、１５ｂ、１５６ａである。
そして、実施例２と同様に組み立てれば、図１に示すような、直方体のベロ付ボックスティッシュ１０となる。本実施例３に係るベロ付ボックスティッシュ１０においても、底面１４の端部の糊しろ片１４１を前面１３に糊付けすることにより、直方体の紙箱１１の用をなすものとなる。
本実施例３におけるベロ付ボックシュティッシュ１０の代表的な寸法は、実施例２の物と同様であるが、第２葉書様部１５５は、官製葉書大（長手１４８ｍｍ×幅１００ｍｍ）の寸法であって、第２先端接着部１５６１の幅は９ｍｍであり、周辺紙片部１５６の幅は約１１９ｍｍまたは、底面１４や上面１２の幅とほぼ同等とすることが好ましい。さらに、本実施例３におけるベロ付ボックシュティッシュ１０は、実施例１の代表的な寸法と同様であってもよく、この場合でも、接着強度を備えるために、第２先端接着部１５６１の幅を９ｍｍ程度とすることが好ましい。
なお、本実施例３におけるベロ付ボックシュティッシュ１０の組立は、実施例２と同様にすればよい。
【００３８】
本実施例３に係るベロ付ボックスティッシュ１０を使用する際の例は、実施例２の例と同様、企業等の広告、販売促進に用いた後、ダース箱等の商品の購入者が、第２葉書様部１５５と第２先端接着部１５６１との境界にあるミシン目１５ａ、および、周辺紙片部１５６との境界にあるミシン目１５ｂに沿って、第２葉書様部１５５を切り取ることにより、この第２葉書様部１５５を懸賞応募葉書用紙等として活用するものである。また、第２葉書様部１５５を切り取った後のベロ付ボックスティッシュ１０は、第２先端接着部１５６１および周辺紙片部１５６のみが残ることとなり、ボックスティッシュとして市販のものと何ら変わらず使用することができる。ただし、第２葉書様部１５５を懸賞応募葉書用紙等として活用する際には、底面１４と第２接着部１５６１との糊付けを外して第２葉書様部１５５を切り取ることが便宜であるので、第２葉書様部１５５を切り取った後については、ミシン目１５６ａに沿って第２先端接着部１５６１および周辺紙片部１５６を切り取ってしまうことが好ましい。
【００３９】
したがって、本実施例３に係るベロ付ボックスティッシュ１０においても、葉書大の大きさを有する第２葉書様部１５５を備えるので、例えば、懸賞応募葉書用紙などの機能を加えることが可能となって、企業等の広告、販売促進にさらに貢献することができるティッシュペーパーボックスを提供することができる。
【００４０】
以上、本発明のいくつかの実施例を詳述したが、本発明は上記実施例に限定されるものではない。そして本発明は、特許請求の範囲に記載された事項を逸脱することがなければ、種々の設計変更を行うことが可能である。
【００４１】
例えば、上記各実施例において、前面を延長させて延長片を形成したが、後面を延長させて延長片を形成しても当然に、好ましい実施形態となる。
また、例えば、上記実施例１または実施例２において、延長片（ベロ片）を、紙箱の底面の長手のほぼ中央の位置に設けた例を説明したが、ダース箱に取り付ける際などの使用する状況に応じて、延長片（ベロ片）を紙箱の底面の任意の位置に変更しても、好ましい実施形態となる。また、実施例３における第２葉書様部の位置についても、本発明の効果を得ることができる限り、延長片（ベロ片）の必ずしも中央付近に設ける必要はないものである。
【符号の説明】
【００４２】
１０        ベロ付ボックスティッシュ
１１        紙箱
１２        上面
１２１      ミシン目
１３        前面
１４        底面
１４１      糊しろ片
１４ａ      底面における前面近傍側の一側
１５        延長片
１５ａ      ミシン目
１５ｂ      ミシン目
１５１      基部ベロ片
１５１ａ    糊付領域（長方形の領域）
１５１ｂ    その他の領域（台形の領域）
１５２      先端ベロ片
１５３      葉書様部
１５３ａ    ミシン目
１５４      先端接着部
１５５      第２葉書様部
１５５ａ    ミシン目
１５６      周辺紙片部
１５６１    第２先端接着部
１５６ａ    ミシン目
１６        後面
１７、１８  側面
１７ａ〜１７ｄ、１８ａ〜１８ｄ  側面片
１００      展開紙片
２００      展開紙片
３００      展開紙片
Ｄ          ダース箱
Ｄ１        側面
Ｄ２        隙間
【図１】
2010163175.tif 000003
【図２】
2010163175.tif 000004
【図３】
2010163175.tif 000005
【図４】
2010163175.tif 000006
【図５】
2010163175.tif 000007
【図６】
2010163175.tif 000008
【図７】
2010163175.tif 000009
【図８】
2010163175.tif 000010